(57)【要約】【課題】営業用クリーニングとして最も主流のドライクリーニングにおいて水溶性の汚れをも除去できるようになして、ドライクリーニング後に水溶性の汚れを除去するために行われる従来のウエットクリーニングの二度洗いを不要となし、営業クリーニングにおける作業コストの抑制を図ると共に油溶性の汚れに対する洗浄性をも向上させ得る新規なドライクリーニング溶剤を提供することを目的とする。【解決手段】２−ヒドロキシイソ酪酸メチルと水とを１：９乃至９：１（重量比）の混合比率の範囲内で配合してなることを特徴とする水溶性の汚れをも除去できるドライクリーニング溶剤。【特許請求の範囲】
【請求項１】
２−ヒドロキシイソ酪酸メチルと水とを１：９乃至９：１（重量比）の混合比率の範囲内で配合してなることを特徴とする水溶性の汚れをも除去できるドライクリーニング溶剤。
【発明の詳細な説明】
【０００１】
【発明が属する技術分野】
本発明は、水溶性の汚れをも除去できるドライクリーニング溶剤に関するものである。
【０００２】
【従来の技術】
従来、営業用クリーニングの洗浄法として、ドライクリーニング、ランドリー、ウエットクリーニングがあり、洗浄対象繊維の種類と汚れの性質に応じて適宜に選択実施されている。
【０００３】
ドライクリーニングは、有機溶剤を使って汚れを除去するもので、営業用クリーニングとして最も主流の洗浄法であって、ウール、カシミア、アンゴラ、シルク、レーヨン等の水に弱い繊維における油溶性の汚れ、タンパク質系の汚れに対して好適であり、一般に、コート、スーツ、セーター、スキーウエアー等の洗浄に用いられる。
【０００４】
ランドリーは、水又は温水と洗剤を使って業務用洗濯機で洗う洗浄法であって、綿、ポリエステル等水に強い繊維における水溶性汚れに対して好適であり、一般に、カッターシャツ、シーツ等の洗浄に用いられる。
【０００５】
ウエットクリーニングは、一般に、セーター、ブラウス、スキーウエアー等デリケートな衣類を弱アルカリ性中性洗剤を使って出来るだけ外観、寸法、風合いを損なわないよう漬け洗いを中心とする特殊洗浄法で、作業性、商業性に劣るおそれがある。
【０００６】
営業用クリーニングとして最も主流の前記ドライクリーニングには、汗、水溶性の汚れを除去しにくい欠点を有することから、油溶性の汚れ、水溶性の汚れ、タンパク質系汚れ等が付着している場合には、ドライクリーニングにより油溶性の汚れ、タンパク質系の汚れを除去した後に、更にウエットクリーニングによって水溶性の汚れを除去するという二度洗いを行わなければならず、作業コストが嵩む等の問題点があった。
【０００７】
なお、関連する先行技術文献としては、特公昭２８−２２３３号が存在する。
【０００８】
【発明が解決しようとする課題】
本発明は、営業用クリーニングとして最も主流のドライクリーニングにおける如上の問題点を解消すべく案出したものであって、ドライクリーニングにおいて水溶性の汚れをも除去できるようになして、ドライクリーニング後に水溶性の汚れを除去するために行われる従来のウエットクリーニングの二度洗いを不要となし、営業クリーニングにおける作業コストの抑制を図ると共に油溶性の汚れに対する洗浄性をも向上させ得る新規なドライクリーニング溶剤を提供することを目的とするものである。
【０００９】
【課題を解決するための手段】
上記目的を達成するための本発明の構成を実施の形態を用いて説明すると、本発明に係る水溶性の汚れをも除去できるドライクリーニング溶剤は、２−ヒドロキシイソ酪酸メチルと水とを１：９乃至９：１（重量比）の混合比率の範囲内で配合してなることを特徴とするものである。
【００１０】
【発明の実施の形態】
以下に、本発明の実施の形態を実施例に基づき説明する。
【００１１】
【実施例】
本発明においてドライクリーニングの溶剤として使用するのは、２−ヒドロキシイソ酪酸メチル（ＨＢＭ）である。
【００１２】
この２−ヒドロキシイソ酪酸メチルは、溶解性に優れ、水や各種有機溶剤に可溶である。構造中に−ＯＨ基を持ち、無限に水に溶ける。また、構造中にエステル基を持ち、生分解し易く、環境に悪影響を与えにくいと共に加水分解しにくいことから、酸の発生がほとんどなく、金属類への腐食が抑制される。また、微かなエステル臭で臭気が良いと共に低い急性毒性で、作業環境を阻害しない。更に、低沸点・高蒸発速度で、速乾性に優れるものである。その一般的性質は表１に示すとおりである。
【００１３】
【表１】
2005068182.tif 000002
【００１４】
この２−ヒドロキシイソ酪酸メチルは、従来、医薬・農薬中間体、写真薬原料等を用途として用いられているが、ＫＢ値（カウリブタノール値）が高く、油溶性の汚れを高度に溶解しやすい特性を有する。
【００１５】
しかし、この２−ヒドロキシイソ酪酸メチルは、アセテートを溶解するという固有の性質上の問題を具有することから、衣類等のクリーニングに一般的に使用するにはクリーニング品を損傷するおそれがあって、クリーニングには不向きで使用することは到底できなかったのであるが、この２−ヒドロキシイソ酪酸メチルに対して水を９：１（重量比）の割合以上に配合することによって、アセテートの溶解を抑制することができるようになり、これによって、ドライクリーニングの溶剤として使用することを可能とすることができる。
【００１６】
併せて、水の含有比率を高めて配合することが可能であることから、水溶性の汚れをも強力に除去することが可能となり、これにより、２−ヒドロキシイソ酪酸メチルの油溶性の汚れに対する高い溶解力を活用した上で水溶性の汚れをも強力に除去できるドライクリーニング溶剤を得ることが可能となった。ここにおいて、水に弱い繊維に対しては、縮み等を抑制する公知の適宜な添加剤を添加して対応することができる。
【００１７】
更にまた、水の含有比率を高めて配合することができることから、２−ヒドロキシイソ酪酸メチルの引火温度を引き上げて引火しにくいものとするので、営業クリーニングにおける作業環境の火事に対する危険性が低くなり安全性を高めることができる。
【００１８】
また、生分解性に優れ、生活環境に悪影響を与えにくいことから、廃棄に際してフィルターの廃棄前処理の必要性が軽減し、公害問題のおそれがほとんどなく、廃棄が容易で廃棄コストが抑制されると共に加水分解しにくいことから、酸の発生がほとんどなく、金属類への腐食性が抑制される。
【００１９】
２−ヒドロキシイソ酪酸メチルに対する水の配合比率は、２−ヒドロキシイソ酪酸メチルが保有する前記した油溶性の汚れに対する高度な溶解力を活用すると同時に水溶性の汚れに対する洗浄力を最大限に発揮させ得るには、５：５（重量比）の割合で水を配合することが最も効果的で好ましい。
【００２０】
しかし、２−ヒドロキシイソ酪酸メチルに水を１：９（重量比）の割合で配合することによって、油溶性の汚れを除去することが認められることから、２−ヒドロキシイソ酪酸メチルに水を１：９乃至９：１（重量比）の混合比率の範囲内で配合することで、２−ヒドロキシイソ酪酸メチルが保有する油溶性の汚れに対する高度な溶解力を活用すると共に水溶性の汚れをも併せて除去できるドライクリーニング溶剤を得ることができる。
【００２１】
【発明の効果】
本発明は、以上説明したように構成されているので、、２−ヒドロキシイソ酪酸メチルの持つ高度な溶解力をドライクリーニングに効果的に活用出来て、油溶性の汚れの洗浄力を向上させることができると共に生分解し易く、加水分解しにくく、酸の発生がほとんどなく、作業環境の改善に役立ち、金属腐食の抑制からクリーニング機器の長期寿命を保持でき、また、速乾性を有することから、ドライクリーニングの作業性を向上させることが可能である。
【００２２】
また、ドライクリーニングの溶剤として油溶性の汚れ、タンパク質系の汚れのみならず、水溶性の汚れをも同時に除去することを可能とすることから、油溶性の汚れ、タンパク質系の汚れ、水溶性の汚れ等が付着している場合にも、油溶性の汚れ、タンパク質系の汚れを除去するドライクリーニングの後に更にウエットクリーニングを行って水溶性の汚れを除去するという従来の二度洗いを行う必要がなくなり、営業クリーニングにおける作業コストを抑制することができる等の優れた効果を有する。